(57)【要約】【課題】  把手を取り外した、嵩張らない状態で扱い、使用に際して簡単に把手を装着して使用することができる簡易鍋を提供する。【解決手段】  鍋本体１は、厚さ0.5〜1.0mm程度の薄い板厚のアルミニウム板のプレス加工によって成型する。鍋本体１の上端に外鍔２を形成し、外鍔２の左右対向位置にそれぞれ一定間隔Ｗで一対の貫通孔３，３を穿設する。把手４は、アルミニウム線材を略Ｕ字状に折曲するとともに両端を上方に向けて折曲してＬ字状折曲部を形成する。鍋本体１に把手４を装着するには、外鍔２に穿設した貫通孔３に対して下方からした、把手４のＬ字状に折曲した先端部分を挿入する。【選択図】  図２
0003115570.tif 000002
【実用新案登録請求の範囲】
【請求項１】
厚さ0.5〜1.0mm程度の薄い板厚のアルミニウム板のプレス加工によって成型する鍋本体の上端に外鍔を形成し、該外鍔の左右対向位置にそれぞれ一定間隔で一対の貫通孔を穿設し、該外鍔に穿設した貫通孔に対して下方からアルミニウム線材を略Ｕ字状に折曲するとともに両端を上方に向けて折曲してＬ字状折曲部を形成した把手の先端部分を自由に挿入可能として着脱自在の把手を形成することを特徴とする簡易鍋。
【請求項２】
アルミニウム線材で折曲形成する把手は、その両端の間隔が鍋本体の外鍔に穿設した一対の貫通孔の間隔よりも広い状態で成型し、縮めながら装着することによって広がろうとする線材の弾性によって係止することを特徴とする請求項１記載の簡易鍋。
【請求項３】
アルミニウム線材で折曲形成する把手両端の、略Ｌ字状折曲部内側面に滑り止め加工を施したことを特徴とする請求項１又は２記載の簡易鍋。
【請求項４】
アルミニウム線材で折曲形成する把手両端の、略Ｌ字状折曲部の折曲片の外側面に係止部もしくは滑り止め加工を施したことを特徴とする請求項１ないし３のいずれかに記載の簡易鍋。
【考案の詳細な説明】
【技術分野】
【０００１】
この考案は、主として半調理状態の食材を内部に収容して真空パックで提供し、購入者が火に掛けて加熱することによって調理が完了するような、通常使い捨て使用することができる簡易鍋に関する考案である。
【背景技術】
【０００２】
アルミニウム箔によって形成した容器に、調理済みのインスタント食品(例えばラーメン)を収容しておき、購入者が熱湯を注いで使用する鍋形状の包装容器が知られている。このような包装容器は、強度的に弱いため調理用の鍋として使用することができるようなものではない。また、火に掛けて使用するには、容器に手を触れた場合に火傷をするなどの危険性があった。
【０００３】
一般的な鍋において、鍋本体に対して把手を着脱もしくは折り畳み可能とする思想は、特許文献１や特許文献２に開示されている。特許文献１に開示されている着脱自在の把手構造は、なべの側面に把手取付部を設け、把手取付部に把手を着脱する思想である。特許文献２に記載されている発明は、電気炊飯器に使用するおかゆ用容器であって、おかゆ用コップの上端縁に設けたつばに、穴部を設け、穴部にスプーンを引っ掛けて取り出す思想である。特許文献３には、なべ本体である主体の外側に受け部を設け、この受け部に把手を着脱する構造が、特許文献４には、鍋主体の外周側壁に設けた支持枠に線材をＵ字状に折曲させた把手を装着し、この把手を折畳み可能とする思想が開示されている。
【特許文献１】特開２００１―１９０４３３号公報
【特許文献２】特開平０８―４４４号公報
【特許文献２】特開平１０―３０４９８５号公報
【特許文献４】実公昭４４−３３３７号公報
【考案の開示】
【考案が解決しようとする課題】
【０００４】
従来のアルミニウム箔の鍋形状の容器では、把手を取り付けるような強度はなく、鍋として調理に利用することができるものではない。特許文献１や３に記載された発明は、いずれも鍋本体の側面に把手の取付部を設け、この取付部に把手を着脱するものであり、鍋全体の重量が取付部に掛かるため、薄い肉厚の簡易な鍋に応用することはできない。特許文献２に開示されたおかゆ用容器は、電気炊飯器の内釜内に配置したおかゆ用コップを、上方に持ち上げるためにスプーンを利用するもので、調理の際に利用する把手構造ではない。さらに、特許文献４に記載された発明は、把手を折畳み可能とするもので、着脱可能とするものではない。
【０００５】
上記従来技術に鑑み、本考案は比較的薄い肉厚の簡易な鍋であって、把手を取り外した、嵩張らない状態で食材とともに提供し、調理に際して安心して使用することができる、着脱自在の把手を簡単な構造で実現した簡易鍋を提供することを目的とするものである。
【課題を解決するための手段】
【０００６】
上記、目的を達成するために、請求項１記載の考案は、厚さ0.5〜1.0mm程度の薄い板厚のアルミニウム板のプレス加工によって成型する鍋本体１の上端に、外鍔２を形成する。外鍔２の左右対向位置には、それぞれ一定間隔Ｗで一対の貫通孔３，３を穿設し、外鍔２に穿設した貫通孔３に対して、下方からアルミニウム線材を略Ｕ字状に折曲するとともに両端を上方に向けて折曲してＬ字状折曲部５を形成した把手４の先端部分を、自由に挿入可能として着脱自在の把手を形成する。
【０００７】
請求項２記載の考案は、アルミニウム線材で折曲形成する把手４を、両端の間隔が鍋本体１の外鍔２に穿設した一対の貫通孔３，３の間隔Ｗよりも広い間隔W’で成型し、縮めながら装着することによって広がろうとする線材の弾性によって、把手４を鍋本体１の外鍔２に係止することである。
【０００８】
請求項３記載の考案は、アルミニウム線材で折曲形成する把手４両端の、Ｌ字状折曲部５の内側面に滑り止め加工６を施すこと、請求項４記載の考案は、アルミニウム線材で折曲形成する把手４両端の、Ｌ字状折曲部５の折曲片７外側面に、係止部もしくは滑り止め加工８を施すことである。
【考案の効果】
【０００９】
請求項１記載の本考案簡易鍋によれば、厚さ0.5〜1.0mm程度の比較的薄い板厚のアルミニウム板のプレス加工によって成型した鍋本体１であっても、アルミニウム箔のように変形することなく、火に掛けて煮炊き用の鍋として十分に機能し、加熱した鍋本体１の取扱いに際し、把手４を着脱することによって自由にかつ安全に取り扱うことができる。また、把手４はアルミニウム線材を略Ｕ字状に折曲した簡単な構造であって、鍋本体１の外鍔２に穿設した貫通孔３に、上方に向けて折曲形成したＬ字状折曲部５の、折曲片７の先端部分を挿入するという、簡単な操作によって自由に着脱することができる。しかも、調理物の入った鍋本体１を、外鍔２の対向位置で支えるため安定がよく、かつ取扱いに十分な強度を実現することができる。
【００１０】
鍋本体１及び把手４の全ては、アルミニウム材で構成するため衛生的であるとともに、安価に提供することができる。例えば鍋本体１内に半調理状態の食材を収容し、これを急速冷凍した状態で把手４をセットし、真空パックをして顧客に提供すると、購入者はこれを加熱するだけの簡単な調理で、インスタント食品とは異なる、新鮮な鍋料理を食することができる。この際、セットした把手４が錆びるようなことがない。
【００１１】
請求項２記載の考案によれば、略Ｕ字状に折曲した把手４自体の弾性によって把手４の装着状態を維持するため、より安全に安心して使用することができる。すなわち、左右の把手４，４の先端部分は、一定間隔Ｗで係止されるため、鍋本体１を安心して持ち上げることができる。
【００１２】
請求項３記載の考案によれば、アルミニウム線材で折曲形成する把手４両端の、略Ｌ字状折曲部５内側面に、滑り止め加工６を施したことによって、把手４を持って持ち上げた際に滑ることなく安定良く取り扱うことができる。請求項４記載の考案によれば、把手４両端の、Ｌ字状折曲部５の折曲片の外側面に係止部もしくは滑り止め加工８を施したことにより、係止部もしくは滑り止め加工８が安定した支点となって、把手４のＬ字状折曲部５で外鍔２を安定良く保持することができる。
【考案を実施するための最良の形態】
【００１３】
以下、本考案に係る簡易鍋の好ましい実施形態を添付の図面に基づいて説明する。
図１は、簡易鍋全体の正面図、図２は簡易鍋全体の平面図である。図３は把手取付状態の平面図、図４は把手取付状態の縦断面図である。
【００１４】
本考案に係る簡易鍋は、鍋本体１と把手４とで構成する。鍋本体１は、例えば厚さ0.5〜1.0 mm程度の比較的薄い板厚のアルミニウム板のプレス加工によって成型する。鍋本体１の具体的な形状は、特に限定されるものではないが、一般的な椀型に形成し、上端から略１cm程度の位置で拡径させて段部９を形成し、吹き零れの生じにくい形状とするとともに、上端には外鍔２を形成する。鍋本体１の外鍔２には、図２に示すように左右対向位置にそれぞれ一定間隔Ｗで一対の貫通孔３，３を穿設する。
【００１５】
外鍔２の外周縁は、図４や図５に示すように、カーリング加工を施すことによって、強度を向上させることができる。また、鍋本体１を形成するアルミニウム板の厚みが大きくないことから、図８に示すように折り返して二重に形成し、外鍔２全体の強度、とりわけ貫通孔３と把手４の支持部分の強度を向上させることもできる。このことは、鍋本体１をより厚みの薄い材料で成型しても、把手を装着して取り扱う簡易鍋を実現できることを意味する。
【００１６】
外鍔２には、図２に示すように左右対向位置に、それぞれ一定間隔Ｗで一対の貫通孔３，３を穿設する。貫通孔３の直径は、アルミニウム線材で形成する把手４を自由に挿入することができる大きさとする。すなわち、把手４の線径よりも大きな孔であることが必要であるが、大き過ぎる場合はガタツキを生じ易いため、線径よりも１mm程度大きな孔であればよい。
【００１７】
鍋本体１に着脱する把手４は、ある程度腰のあるアルミニウム線材を利用する。アルミニウム線材は柔らかく折曲加工が容易であるが、把手としての強度を備える必要がある。したがって、線材として、３mmないし４mm程度の線材が適している。把手は、前記アルミニウム線材を略Ｕ字状に折曲し、さらに両端を上方に向けて折曲することによってＬ字状折曲部５を形成する。
【００１８】
アルミニウム線材をＵ字状に折曲するに際し、その両端の開き寸法は、図３に示すように、鍋本体の外鍔２に穿設した貫通孔３，３の間隔Ｗよりも広い間隔W’となるように成型しておく。また、先端のＬ字状折曲部５の折曲角度は、直角よりもやや鋭角に形成する。Ｌ字状折曲部５の折曲角度は、把手４を鍋本体１に装着したときの把手４，４の開き角度に関連する。したがって、図１に示すようにＬ字状折曲部５の折曲片７を貫通孔３，３に挿入し、把手を上方に持ち上げた時に、図１に示すように斜め外方に向けて傾斜した位置で係止されるように、Ｌ字状折曲部５の折曲角度を選定しておくのが好ましい。これにより、加熱調理したときの蒸気や熱気が手に当たることがなく、安心して取り扱うことができる。
【００１９】
把手４を鍋本体１に装着するには、図３に実線で示すように開いた状態にある把手４の先端部分を手指で挟み、間隔W’を点線で示すように間隔Ｗに近づける。その状態で、図４に矢印で示すように、把手の先端すなわち折曲片７を、鍋本体１の外鍔２の下方から貫通孔３に差し込み、手指を離すと把手４が自身の弾性によって広がり、貫通孔３，３に係止される。把手４のＬ字状折曲部５の折曲片７を貫通孔３に挿入し、係止されている状態で、把手４の先方部分を上方に持ち上げると、貫通孔３の内周面と外鍔２の外周縁を、把手４のＬ字状折曲部５で支持し、鍋本体１を持ち上げることになる。
【００２０】
すなわち、Ｌ状折曲部５の内側面で鍋本体１の外鍔２部分を支えることになるため、図４、図５に示すようにＬ字状折曲部５の内側面滑り止め加工６，６を施しておくことによって、把手４を持った状態で鍋本体１と把手４が滑らず、鍋本体１を安定良く持ち上げることができる。滑り止め加工６としては、例えばプレス加工によってギザギザの凹凸加工を施すことによって、比較的簡単に実現することができる。
鍋本体１は、Ｕ字状に折曲した把手４の先端で支えることになるが、これは、片側二点づつ、計４点で支持することになる。そして支持位置を決定するのは、貫通孔３，３であることから、一対の貫通孔３，３の間隔Ｗは、安定を考慮してある程度広いもの、例えば３ないし４cm程度としておくのが好ましい。
【００２１】
鍋本体１に形成されている外鍔２の貫通穴３に、把手４の折曲片７を挿入して持ち上げた場合、調理物が入った鍋本体１の重みによって、把手４には図６に矢印で示すように内方へのモーメントが作用する。そこで、折曲片７の外側面に滑り止め加工８を施しておくことも有効な手段となる。図６に示すように、折曲片７の外側面に滑り止め加工８を施した場合は、把手４に作用するモーメントで、把手４が図面の左方向に回動されると、滑り止め加工８部分が貫通孔３の内周縁に当接し、この当接位置を支点Ｏとして外鍔２の外周部分が、把手４のＬ字状折曲部５で支持されることになる。すなわち、滑り止め加工８は係止手段として機能するものであり、ギザギザの滑り止め加工の他、やや大きめの突起といった係止構造とすることもできる。
【００２２】
滑り止め加工６や８の変形の実施形態として、図７に示すようにＬ字状折曲部５の所定位置において、線材の全周にわたる環状もしくはネジ状の凹凸として実施することもできる。滑り止め加工６や８は、折曲加工を行う前の線材の状態で加工しておき、その後折曲加工を行うことによって容易に実施することができる。
【００２３】
以上述べた、本考案に係る簡易鍋は、コスト的に比較的安価な厚みの薄い板材を使用して成型することによって、半調理済み食材の販売用として使い捨てを前提として実施することができる。そして、アルミニウム材を採用することによって、錆びるようなこともなく衛生的であり、例えば鍋本体１に収容した半調理状態の食材を急速冷凍し、把手４をセットして全体を真空パックで提供した場合においても、鉄材のように錆びることがなく、ステンレス材のように高価にならない。
【図面の簡単な説明】
【００２４】
【図１】図１は、本考案に係る簡易鍋全体の正面図、
【図２】図２は、本考案に係る簡易鍋全体の平面図、
【図３】図３は、把手の取付状態を示す平面図、
【図４】図４は、把手の取付状態を示す縦断面図、
【図５】図５は、把手取付部分のみの拡大断面図、
【図６】図６は、把手取付部分のみの変形の実施形態を示す拡大断面図、
【図７】把手の先端部分の変形実施形態を示す部分拡大正面図、
【図８】鍋本体の外鍔の変形実施形態を示す部分拡大断面図。
【符号の説明】
【００２５】
１…鍋本体、  ２…外鍔、  ３…貫通孔、  ４…把手、  ５…Ｌ字状折曲部、  ６…滑り止め加工、  ７…折曲片、  ８…滑り止め加工、  ９…段部。
【図１】
0003115570.tif 000003
【図２】
0003115570.tif 000004
【図３】
0003115570.tif 000005
【図４】
0003115570.tif 000006
【図５】
0003115570.tif 000007
【図６】
0003115570.tif 000008
【図７】
0003115570.tif 000009
【図８】
0003115570.tif 000010